(57)【要約】【課題】煩わしい操作や作業をしなくても、うまく歌えたときのカラオケ伴奏音楽とそれに合わせて歌う歌唱音声とを可搬型記録媒体に記録できるとともに、利用者が要求する様々なカラオケ録音形態にも対応できるカラオケ録音装置を提供する。【解決手段】カラオケ伴奏音楽とマイクロホン入力される歌唱音声とを楽曲演奏機会ごとに所定形式の録音ファイルに作成するとともに、その歌唱音声についての巧拙を示す歌唱得点を取得し、当該歌唱得点に基づいて前記録音ファイルを搬型記録媒体へ転記するか否かを決定する手段を備えたカラオケ録音装置としている。【選択図】      図２
2004205888.tif 000002
【特許請求の範囲】
【請求項１】
カラオケ伴奏音楽とマイクロホン入力される歌唱音声とを楽曲演奏機会ごとに所定形式の録音ファイルに作成するとともに、その歌唱音声についての巧拙を示す歌唱得点を取得し、当該歌唱得点に基づいて前記録音ファイルを可搬型記録媒体へ転記するか否かを決定する手段を備えたことを特徴とするカラオケ録音装置。
【請求項２】
カラオケ伴奏音楽とマイクロホン入力される歌唱音声とを楽曲演奏機会ごとに所定形式の録音ファイルに作成するとともに、カラオケ伴奏音楽に合わせて歌う歌唱状態の巧拙を示す歌唱得点を取得し、その録音ファイルと歌唱得点とを対応付けして記憶する暫定録音手段と、
暫定録音手段により作成された複数の録音ファイルを対応の歌唱得点に基づいて取捨選択する録音ファイル選出手段と、
録音ファイル選出手段により選出された録音ファイルを可搬型記録媒体へ転記する録音ファイル転記手段と、
を備えたことを特徴とするカラオケ録音装置。
【請求項３】
請求項２において、１つの可搬型記録媒体へ転記される録音ファイルの数に上限が設定されていることを特徴とするカラオケ録音装置。
【請求項４】
請求項２または３において、利用者を識別管理する手段を備え、暫定録音手段は、録音ファイルと歌唱得点と該当のカラオケ楽曲をリクエストした利用者とを対応付けして記憶し、録音ファイル選出手段は、同じ利用者に対応付けされた複数の録音ファイルから所定曲数分の録音ファイルを選出することを特徴とするカラオケ録音装置。
【請求項５】
請求項２または３において、録音ファイルの作成起源となったカラオケ楽曲を特定する手段を備え、暫定録音手段は、録音ファイルと歌唱得点とカラオケ楽曲とを対応付けして記憶し、録音ファイル選出手段は、同じカラオケ楽曲に対応付けされた複数の録音ファイルから一つの録音ファイルを選出することを特徴とするカラオケ録音装置。
【請求項６】
請求項３において、録音ファイル選出手段は、暫定録音手段により所定曲数分の録音ファイルが作成されるごとに、これら録音ファイルから一定曲数分の録音ファイルを対応の歌唱得点に基づいて選出するとともに、当該選出作業を前記上限の曲数分繰り返して可搬型記録媒体への転記対象となる録音ファイルを確定することを特徴とするカラオケ録音装置。
【請求項７】
請求項１〜６のいずれかにおいて、録音ファイル選出手段により選出される録音ファイルに関する情報を適宜に表示出力する手段を備えたことを特徴とするカラオケ録音装置。
【発明の詳細な説明】
【０００１】
【発明の属する技術分野】
この発明は、カラオケ装置にて生成・出力されるカラオケ伴奏音楽とこの音楽に合わせて歌う歌唱音声とを所定の音声データ形式でＣＤ−Ｒなどの過般型記録媒体に録音するためのカラオケ録音装置に関する。
【０００２】
【従来の技術】
カラオケ店舗などでは、カラオケ装置にて音響出力されるカラオケ伴奏音楽と、その音楽に合わせて歌う利用者の歌声とを適宜な可搬型記録媒体に録音できるカラオケ録音サービスを提供しているところがある。
【０００３】
カラオケ録音装置は、カラオケ装置から出力されるカラオケ伴奏音楽と歌唱者の音声とを録音するための装置であり、普通、ＣＤ−Ｒを録音媒体としたＣＤレコーダ本体である。ＣＤレコーダは、カラオケ装置からカラオケ伴奏音楽とマイク入力される歌唱音声との混合信号を入力し、この混合信号をサンプリングしてＰＣＭデータに変換し、このＰＣＭデータをＣＤ−ＤＡ（CD Digital Audio）規格のデータ形式となるようにＣＤ−Ｒに書き込んで「録音」する。
【０００４】
また、歌唱に失敗した場合にも対応して、カラオケ伴奏音楽と歌唱音声とを所定形式の録音ファイルに作成して一時的にこれを保存するとともに、利用者の指示に従ってこの一時的に保存されている録音ファイルを可搬型記録媒体に転記するカラオケ録音装置もある（例えば、特許文献１参照）。
【０００５】
【特許文献１】
特開２００２−２８７７７７号公報
【０００６】
【発明が解決しようとする課題】
上述したように、利用者はできるだけうまく歌えたときの歌唱音声を可搬型記録媒体へ録音したいと思っている。確かに特許文献１のカラオケ録音装置ではそれが可能である。しかし、どの録音ファイルがうまく歌えたときに対応しているのかを逐一覚えておくのは困難であるし、かといって、楽曲の演奏機会ごとに作成されたばかりの録音ファイルの取捨選択作業を行うのも面倒である。また、カラオケの場ではリクエスト曲の選曲とその演奏予約作業、カラオケ楽曲の歌唱、あるいは同伴者との歓談など、様々な作業・動作を行っており、それら作業・動作の合間に転記対象となる録音ファイルを取捨選択する作業をしていたのでは、カラオケを楽しむこともできない。
【０００７】
一方、録音された状態の可搬型記録媒体については、例えば、１枚のＣＤ−Ｒに上手に歌唱できたときの録音ファイルのみを複数収録して「ベストアルバム」を作成したいという要望もある。また、カラオケがグループで利用されることが多いことを考えると、各利用者がそれぞれの歌唱時に作成した録音ファイルを１つの可搬型記録媒体に記録し、その可搬型媒体を親睦の記念にしたいという要望もある。そのためには、グループ全員のそれぞれの録音ファイルを公平に１つの可搬型記録媒体に記録する必要がある。１つの可搬型記録媒体に記録できる録音ファイルには限りがあるで、ベストアルバムを作成しようとすれば、グループにおける全歌唱機会の中から、うまく歌えた上位所定曲数分の録音ファイルを選出したり、グループの利用者ごとに最もうまく歌えたときの録音ファイルを選出したりするなど、歌唱の巧拙に序列を与えなくてはならない。この序列を考慮した録音ファイルの取捨選択作業はきわめて繁雑で困難な作業となる。
【０００８】
【課題を解決するための手段】
本願発明者らは、歌唱の巧拙を自動的に提示してくれるカラオケ装置の歌唱採点機能に着目した。しかし、この機能を使って最高得点を得たときの録音ファイルを可搬型記録媒体に記録するだけでは、各歌唱機会における採点結果をいちいち記録し、可搬型記録媒体に転記する段階で、その採点結果を高得点順に並べ替えるという煩雑な作業が必要となる。また上述したように、ベストアルバムを作成したいなど、カラオケ録音装置に対する要望は利用者により様々であり、本発明はこのような要望にも答えることが必要であるとも考えた。
【０００９】
そして、上記着目点や考察に基づいて本発明が創作された。この発明の基本となるカラオケ録音装置は、カラオケ伴奏音楽とマイクロホン入力される歌唱音声とを楽曲演奏機会ごとに所定形式の録音ファイルに作成するとともに、その歌唱音声についての巧拙を示す歌唱得点を取得し、当該歌唱得点に基づいて前記録音ファイルを可搬型記録媒体へ転記するか否かを決定する手段を備えたカラオケ録音装置としている。
【００１０】
また、カラオケ伴奏音楽とマイクロホン入力される歌唱音声とを楽曲演奏機会ごとに所定形式の録音ファイルに作成するとともに、カラオケ伴奏音楽に合わせて歌う歌唱状態の巧拙を示す歌唱得点を取得し、その録音ファイルと歌唱得点とを対応付けして記憶する暫定録音手段と、暫定録音手段により作成された複数の録音ファイルを対応の歌唱得点に基づいて取捨選択する録音ファイル選出手段と、録音ファイル選出手段により選出された録音ファイルを可搬型記録媒体へ転記する録音ファイル転記手段とを備えたカラオケ録音装置としてもよい。
この録音ファイル選出手段を備えたカラオケ録音装置では、１つの可搬型記録媒体へ転記される録音ファイルの数に上限が設定されていてもよい。また、利用者を識別管理する手段を備え、暫定録音手段は、録音ファイルと歌唱得点と該当のカラオケ楽曲をリクエストした利用者とを対応付けして記憶し、録音ファイル選出手段は、同じ利用者に対応付けされた複数の録音ファイルから所定曲数分の録音ファイルを選出するように構成することも可能である。
【００１１】
録音ファイルの作成起源となったカラオケ楽曲を特定する手段を備え、暫定録音手段は、録音ファイルと歌唱得点とカラオケ楽曲とを対応付けして記憶し、録音ファイル選出手段は、同じカラオケ楽曲に対応付けされた複数の録音ファイルから一つの録音ファイルを選出するカラオケ録音装置とすることもできる。
【００１２】
録音ファイルの数に上限が設定されているカラオケ録音装置では、録音ファイル選出手段は、暫定録音手段により所定曲数分の録音ファイルが作成されるごとに、これら録音ファイルから一定曲数分の録音ファイルを対応の歌唱得点に基づいて選出するとともに、当該選出作業を前記上限の曲数分繰り返して可搬型記録媒体への転記対象となる録音ファイルを確定するように構成してもよい。
【００１３】
なお、上記いずれかのカラオケ録音装置において、録音ファイル選出手段により選出される録音ファイルに関する情報を適宜に表示出力する手段を備えさせてもよい。
【００１４】
【発明の実施の形態】
＝＝＝システム構成＝＝＝
図１に本発明の実施例におけるカラオケ録音装置の概略構成図を示した。カラオケ録音装置１は、カラオケ店舗の各客室１０に設置されたパーソナルコンピュータと同等の汎用コンピュータ（客室コンピュータ）２と、店舗のフロントなどに設置されたコンピュータ（管理コンピュータ）６と、このコンピュータ６に接続されたＣＤ−Ｒレコーダ３とを主体に構成されている。客室コンピュータ２と管理コンピュータ６とは店舗内に敷設されたＬＡＮを介して接続され、管理コンピュータ６とＣＤ−Ｒレコード３とはＳＣＳＩ規格など、周知の通信インタフェースにより接続されている。
【００１５】
各客室１０のカラオケ装置５は周知の通信カラオケシステムの演奏端末で、歌唱採点機能を備えているものとする。カラオケ装置５と客室コンピュータ２とはＲＳ２３２Ｃ規格など、所定の通信インタフェース８を介して相互にデータ通信を行う。また客室コンピュータ２には、カラオケ装置５からのカラオケ伴奏音楽とマイクロホン入力された歌唱音声のアナログ音響信号とを入力して、これをサンプリングしてデジタル音声データにＡ／Ｄ変換するためのオーディオインタフェース７が実装されている。
【００１６】
＝＝＝基本的なカラオケ録音機能＝＝＝
客室コンピュータ２は、所定の利用者入力を受け付けると、その入力操作後に同じ客室１０にあるカラオケ装置５から通信インタフェース８を介してカラオケ楽曲の演奏開始のタイミング情報を受け取ると、オーディオインタフェース７に入力されたカラオケ伴奏音楽と歌唱音声のアナログ音声信号をデジタル音声データに変換し、そのデータをＲＡＭなどに格納する。そして、演奏終了の情報がカラオケ装置５から転送されてくると、音声データをＷＡＶＥファイルなど適宜な形式の録音ファイルに作成し、これを内蔵のハードディスク装置などに一時的に保存（暫定録音）する。
【００１７】
このように次々に暫定録音された複数の録音ファイルについて、利用者がＣＤ−Ｒ４へ転記したいファイルを選択し、それを転記する旨の操作入力を客室コンピュータ２に与えると、客室コンピュータ２は、該当の録音ファイルを管理コンピュータ６に転送し、管理コンピュータ６はＣＤ−Ｒレコーダ３を制御して、転送された録音ファイルをＣＤ−Ｒ４に転記する。このとき、管理コンピュータ６は、どの客室コンピュータ２からどの録音ファイルが転送されてきたのかを認知し、一枚のＣＤ−Ｒ４に他の客室コンピュータ２にて作成された録音ファイルが混入しないようにしている。
【００１８】
＝＝＝ベストアルバム作成機能＝＝＝
本実施例のカラオケ録音装置１には、基本的なカラオケ録音機能に加え、カラオケ装置５の歌唱採点機能と連動して、随時作成される録音ファイルの内、上手に歌唱できたときのものだけを編集してＣＤ−Ｒ４に転記できる「ベストアルバム作成機能」を備えている。
【００１９】
客室コンピュータ２は、ベストアルバムの作成要求を利用者入力により受け付けると、カラオケ装置５に対してその要求以降の演奏機会ごとに歌唱採点機能を起動するように指示する。客室コンピュータ２は、演奏機会ごとに歌唱採点結果として歌唱得点をカラオケ装置５より取得し、暫定録音する際に該当の録音ファイルと歌唱得点とを対応付けしてハードディスク装置に蓄積していく。
【００２０】
図２に、客室コンピュータ２が演奏機会ごとに作成される録音ファイルを、ＣＤ−Ｒ４への転記対象の録音ファイルとして蓄積していく手順を示した。この例では、ＣＤ−Ｒ４には１０曲分の録音ファイルが記録でき、１０曲分の演奏が終わるまでは作成された録音ファイルがＣＤ−Ｒ４への転記候補としてハードディスク装置に蓄積される（Ａ）。この図では転記候補を対応する得点の高い方から順に並べて示した。
【００２１】
１０曲分を超えて新しい録音ファイルが作成されると対応の歌唱得点と蓄積済みの転記候補のそれぞれに対応する歌唱得点とを比較し、最低得点に対応付けされている録音ファイルを削除する（Ｂ）。このようにして、得点が高い順に上位所定曲数分の録音ファイルが転記候補としてハードディスク装置に蓄積されている状態となる。この状態で、利用者入力により録音ファイルをＣＤ−Ｒ４へ転記する旨の指示を受け付ければ、うまく歌えた演奏機会に作成された上位所定曲数分の録音ファイルのみが収録された「ベストアルバム」のＣＤ−Ｒ４が作成される。
【００２２】
＝＝＝利用者別ベストアルバム＝＝＝
１台のカラオケ装置５をグループで利用する場合、ベストアルバムには、グループに属する各利用者についての録音ファイルが公平に収録されていることが望まれる。そのためには、例えば、客室コンピュータ２がリクエスト曲の楽曲番号を受け付け、この番号をカラオケ装置５に転送するように構成しておく。また、各利用者を名前や番号などによるユーザ識別子で管理し、楽曲番号を受け付ける際に、その識別子も合わせて入力するようなユーザインタフェースとしておく。それによって、誰がどの楽曲をリクエストしたのかを客室コンピュータ２側で管理することができる。
【００２３】
図３（Ａ）（Ｂ）に利用者別ベストアルバムの作成過程の概略図を示した。客室コンピュータ２は、カラオケ楽曲の演奏開始時点で、カラオケ装置５から、その演奏開始タイミング情報とともにその楽曲の楽曲番号を受け取って、該当の利用者を特定する。そして、作成した録音ファイルに歌唱得点と利用者識別子とを対応付けして管理する（Ａ）。同じ利用者のリクエスト楽曲が演奏されて新規の録音ファイルが作成されたときには、このファイルに対応の歌唱得点と記憶済みの当該利用者の録音ファイルに対応の歌唱得点とを比較し、得点が低い方の録音ファイルを削除する（Ｂ）。このようにしてＣＤ−Ｒ４に記録可能な曲数分の録音ファイル中には各利用者の録音ファイルが少なくとも１曲分は転記候補として常にて存在することになる。
【００２４】
なお、例えば、ＣＤ−Ｒ４へ転記できる録音ファイルの数が１０曲分までで、５人のグループであれば、各利用者は２曲分ずつ自分の録音ファイルをＣＤ−Ｒに収録することができることになる。この場合は、利用者ごとに歌唱得点が上位２曲目までの録音ファイルを転記候補とすればよい。転記できる録音ファイルの数がグループの人数で割り切れない場合、例えば１０曲に対して７人の利用者がいる場合、割り切れなかった３曲分の録音ファイルについては、各利用者の採点結果の上位２曲目同士を比較して、高得点の方の録音ファイルを採用したり、ランダムで選出した利用者の録音ファイルを２曲分転記したりするようにすればよい。
【００２５】
＝＝＝歌合戦ベストアルバム＝＝＝
歌合戦の結果を反映させたベストアルバムも考えられる。具体的には、ＣＤ−Ｒ４へ転記できる録音ファイル数と同じ回数の複数回戦方式で歌合戦を行い、各回に所定曲数のカラオケ楽曲を演奏し、その所定曲数分の録音ファイルを作成する。そして、その回の最高得点に対応する録音ファイルをハードディスク装置に格納し、このファイルを転記対象として確定する。すなわち、このファイルはＣＤ−Ｒ４に転記されるまで削除されない。
【００２６】
このように転記対象のファイルを確定する作業を最終回まで行ない、ＣＤ−Ｒ４への転記対象となる全録音ファイルが確定される。図４にこの歌合戦ベストアルバムの作成過程を示した。この例では、１回戦３曲とし、１回戦ごとに３曲中で最高得点に対応する録音ファイルを転記対象として確定する。そして、１０回戦、すなわち３０曲歌った時点で、各回の最高得点に対応する１０曲分の録音ファイルが蓄積されて、これらがＣＤ−Ｒ４に転記されることになる。
【００２７】
＝＝＝転記候補の選出＝＝＝
同じ楽曲が複数回演奏された場合、得点の高い方の録音ファイルを転記候補として採用し、同じ楽曲が重複してＣＤ−Ｒに記録されないようにしてもよい。もちろん、基準となる歌唱得点を設定し、基準点以下の録音ファイルは転記候補として選出しないようにしてもよい。
【００２８】
転記候補となる録音ファイルの数が１枚のＣＤ−Ｒへの記録上限数に達していて、新規に作成された録音ファイルと蓄積済みの録音ファイルの中に、同じ点数の最低得点が複数存在する場合、それら最低得点に対応する録音ファイルの内、演奏順に応じて選出したり、ランダムで選出したりした一つを削除するようにしてもよい。
【００２９】
＝＝＝録音ファイルに関する情報表示＝＝＝
ＣＤ−Ｒ４への転記候補は、新規に録音ファイルが作成されるごとに随時変更されていく。そこで、転記候補についての情報を客室コンピュータのディスプレイなどに表示してもよい。図５（Ａ）（Ｂ）にその表示画面の遷移図を示した。この例では、転記候補として管理されている録音ファイルについて、該当の曲名と歌唱得点とがその演奏順に表示されるともに、作成直後の録音ファイルについての曲名と歌唱得点とが表示される（Ａ）。そして、新規録音ファイルの歌唱得点の方が蓄積済みのいずれかの録音ファイルの歌唱得点よりも高ければ、新規の録音ファイルが蓄積済みの最低得点の録音ファイルと入れ替わり、その新規のファイルが新たな転記候補曲として登録されたことがわかるように反転表示される（Ｂ）。利用者を識別管理しているのであれば、利用者名も合わせて表示してもよい。
【００３０】
＝＝＝装置構成＝＝＝
本発明のカラオケ録音装置の構成は、上記実施例に限らず、例えば、各客室コンピュータにＣＤ−Ｒレコーダが接続された形態であってもよいし、客室コンピュータの機能がカラオケ装置に実装されていてもよい。もちろん、カラオケ装置にＣＤ−Ｒレコーダを接続、あるいは内蔵する形態も考えられる。なお当然のことではあるが、本発明のカラオケ録音システムにおける可搬型記録媒体としては、ＣＤ−Ｒに限らず、ＭＤ・ＤＶＤ−ＲＡＭなど、適宜な媒体が使用可能である。もちろん、仮録音された録音ファイルをＤ／Ａ変換してアナログデータとすれば、オーディオカセットテープなど、アナログのオーディオ記録媒体も使用できる。
【００３１】
【発明の効果】
本発明のカラオケ録音装置によれば、カラオケ伴奏音楽と歌唱音声とを含む録音ファイルを可搬型記録媒体に記録する際、上手に歌えたときの録音ファイルのみを自動的に取捨選択することができる。そのため、煩雑な録音ファイルの選別作業が不要となる。また、うまく歌えたときの録音ファイルのみを１つの可搬型記録媒体に記録したベストアルバムの作成も簡単に行えるなど、カラオケ録音形態に対する利用者の様々な要望に応えることができる。
【図面の簡単な説明】
【図１】本発明の実施例におけるカラオケ録音装置を含むカラオケシステムの構成図である。
【図２】上記カラオケ録音装置おいて、ベストアルバムを作成する際の録音ファイルの管理状態を示す概略図である。
【図３】上記カラオケ録音装置において、利用者別ベストアルバムを作成する際の録音ファイルの管理状態を示す概略図である。
【図４】上記カラオケ録音装置において、歌合戦ベストアルバムを作成する際の録音ファイルの管理状態を示す概略図である。
【図５】上記カラオケ録音装置において、ＣＤ−Ｒへの転記候補となる録音ファイルに関する情報を表示出力する際の画面概略図である。
【符号の説明】
１  カラオケ録音装置
２  客室コンピュータ
３  ＣＤレコーダ
５  カラオケ装置
６  管理コンピュータ
【図１】
2004205888.tif 000003
【図２】
2004205888.tif 000004
【図３】
2004205888.tif 000005
【図４】
2004205888.tif 000006
【図５】
2004205888.tif 000007